(57)【特許請求の範囲】
【請求項１】
コンテンツ配信システムに配置されるＰＯＮ（Ｐａｓｓｉｖｅ  Ｏｐｔｉｃａｌ  Ｎｅｔｗｏｒｋ）が備える、複数の加入者側装置（ＯＮＵ：Ｏｐｔｉｃａｌ  Ｎｅｔｗｏｒｋ  Ｕｎｉｔ）と光伝送路で接続される収容局側装置（ＯＬＴ：Ｏｐｔｉｃａｌ  Ｌｉｎｅ  Ｔｅｒｍｉｎａｌ）であって、
互いに異なる送信波長が設定される複数の収容局側終端装置（ＯＳＵ：Ｏｐｔｉｃａｌ  Ｓｕｂｓｃｒｉｂｅｒ  Ｕｎｉｔ）と、
前記ＰＯＮのコンテンツ配信サーバ側にある上位ネットワークから転送された多チャネル電気信号を前記コンテンツ配信サーバ毎のグループに分け、前記グループ毎に異なる前記ＯＳＵへ出力する振り分け部と、
前記ＯＮＵと通信する前記ＯＳＵの関係を記載した対応表を有し、前記対応表に基づき、それぞれの前記ＯＮＵの受信波長を決定する波長切替制御部と、
前記ＯＳＵの出力信号を合波し、前記光伝送路へ出力する合波部と、
を有することを特徴とする収容局側装置。
【請求項２】
前記波長切替制御部は、
前記対応表に記載された前記関係に変更があった場合、変更対象の前記ＯＮＵの受信波長を前記ＯＳＵを介して設定することを特徴とする請求項１に記載の収容局側装置。
【請求項３】
コンテンツ配信システムに配置されるＰＯＮが備える、複数のＯＮＵと光伝送路で接続されるＯＬＴにおけるコンテンツ配信方法であって、
前記ＯＬＴが有する複数のＯＳＵに互いに異なる送信波長を設定する波長設定手順と、
前記ＰＯＮのコンテンツ配信サーバ側にある上位ネットワークから転送された多チャネル電気信号を前記コンテンツ配信サーバ毎のグループに分け、前記グループ毎に異なる前記ＯＳＵへ出力する振り分け手順と、
前記ＯＮＵと通信する前記ＯＳＵの関係を記載した対応表に基づき、それぞれの前記ＯＮＵの受信波長を決定する波長切替制御手順と、
前記ＯＳＵの出力信号を合波し、前記光伝送路へ出力する転送手順と、
を行うことを特徴とするコンテンツ配信方法。
【発明の詳細な説明】
【背景技術】
【０００１】
アクセスサービスの高速化に対するニーズの高まりにより、ＦＴＴＨ（Ｆｉｂｅｒ  Ｔｏ  Ｔｈｅ  Ｈｏｍｅ）の普及が世界的に進んでいる。ＦＴＴＨサービスの大部分は、1個の収容局側装置（ＯＬＴ：Ｏｐｔｉｃａｌ  Ｌｉｎｅ  Ｔｅｒｍｉｎａｌ）が時分割多重（ＴＤＭ）により複数の加入者側装置（ＯＮＵ：Ｏｐｔｉｃａｌ  Ｎｅｔｗｏｒｋ  Ｕｎｉｔ）を収容し、経済性に優れたＰＯＮ（Ｐａｓｓｉｖｅ  Ｏｐｔｉｃａｌ  Ｎｅｔｗｏｒｋ）方式により提供されている。現在の主力システムは、伝送速度がギガビット級であるＧＥ−ＰＯＮ（Ｇｉｇａｂｉｔ  Ｅｔｈｅｒｎｅｔ（登録商標）  ＰＯＮ）及びＧ−ＰＯＮ（Ｇｉｇａｂｉｔ−ｃａｐａｂｌｅ  ＰＯＮ）である。
【０００２】
並びに、サービス動向については、日本国内では、２０１１年７月に、地上波アナログ放送から地上波デジタル放送へ移行が完了した。これに伴い、通信キャリアによる地上波デジタル放送／ＢＳデジタル放送のＩＰ再送信サービスも本格化している。これらのＩＰ再送信サービスでは、放送並みの能力（同時視聴可能なユーザ数の収容拡大、同時配信可能なチャネル数の容量拡大、チャネル切替時間の短縮、配信品質の確保、信頼性の強化など）が要求される（非特許文献１）。これに対して、アクセスＮＷ（ネットワーク）において、多チャネル超高精細映像（４Ｋ／８Ｋ）を各家庭まで全チャネル同時に低コストで高品質に配信できるブロードキャスト配信が考えられる。ＧＥ−ＰＯＮシステムは、光分岐により全ＯＮＵに同一映像信号を配信可能であるため、下りブロードキャスト配信に適したシステムである。例えば、図１で説明するように、ＧＥ−ＰＯＮを用いてブロードキャスト配信を行うことで、上記の超高精細映像（４Ｋ／８Ｋ）の信号を多チャンネル同時に加入者に配信できる。
【０００３】
ＧＥ−ＰＯＮは、ＴＤＭ（Ｔｉｍｅ  Ｄｉｖｉｓｉｏｎ  Ｍｕｌｔｉｐｌｅｘｉｎｇ）技術を用いて、複数のＯＮＵの信号を時間的に重ならないように多重化して伝送するため、ＴＤＭ−ＰＯＮと呼ぶ。図１に、ＴＤＭ−ＰＯＮを用いたＮＷ構成を示す。まず、映像配信サーバからＴＶ受信端末までのＮＷ構成を説明する。映像配信サーバとして、映像配信事業者Ａが映像チャネル１、２、３を配信する映像配信サーバ＃Ａ、そして、映像配信事業者Ｂが映像チャネルｉ、ｉｉ、ｉｉｉを配信する映像配信サーバ＃Ｂを備える。コアＮＷとアクセスＮＷの境界にはエッジルータを備える。アクセスＮＷは、Ｌ２ＳＷ（Ｌａｙｅｒ  ２  Ｓｗｉｔｃｈ）、ＯＬＴ＃１〜＃２、光スプリッタ、ＯＮＵ＃１〜＃４を備える。ユーザ宅内は、ＳＴＢ（Ｓｅｔ  Ｔｏｐ  Ｂｏｘ）とＴＶ受信端末を備える。前記ＯＬＴは光送受信器とＭＡＣ（Ｍｅｄｉａ  Ａｃｃｅｓｓ  Ｃｏｎｔｒｏｌ）制御部を備える。前記ＯＮＵは、光送受信器とＭＡＣ制御部を備える。前記のＳＴＢは、映像信号を受信して、ＴＶ受信端末で視聴可能な信号に変換する装置である。ＯＬＴ＃１は光ファイバと光スプリッタを介してＯＮＵ＃１、ＯＮＵ＃２と接続する。ＯＬＴ＃２は光ファイバと光スプリッタを介してＯＮＵ＃３、ＯＮＵ＃４と接続する。ＯＮＵ＃１はＳＴＢ＃１を介してＴＶ受信端末＃１と接続する。ＯＮＵ＃２はＳＴＢ＃２を介してＴＶ受信端末＃２と接続する。ＯＮＵ＃３はＳＴＢ＃３を介してＴＶ受信端末＃３と接続する。ＯＮＵ＃４はＳＴＢ＃４を介してＴＶ受信端末＃４と接続する。
【０００４】
エッジルータとＯＬＴ間は、Ｌ２ＳＷで多数のＴＤＭ−ＰＯＮを集線多重する構成としている。このようにＬ２ＳＷを備える構成では、イーサＶＬＡＮ（Ｖｉｒｔｕａｌ  ＬＡＮ）（非特許文献２）を用いてユーザ単位でアクセス回線を分割する論理構成とする場合がある。イーサＶＬＡＮを識別する識別子として、ＶＩＤ（Ｖｉｒｔｕａｌ  ＬＡＮ  Ｉｄｅｎｔｉｆｉｅｒ）が使用されている。ここで、ユーザ間の識別のために用いるＶＩＤをユーザ個別ＶＩＤ、決められた複数のユーザ共通で用いるＶＩＤをマルチキャストＶＩＤと呼ぶ。また、ＴＤＭ−ＰＯＮは１台のＯＬＴと複数のＯＮＵで構成される。ＴＤＭ−ＰＯＮシステムでは、下り信号（ＯＬＴ→ＯＮＵの信号）は光スプリッタにより分岐され、全く同一の信号が全ＯＮＵに到達する。そこで、各ＯＮＵ内のＭＡＣ制御部では受信したイーサネット（登録商標）フレーム（以下，フレーム）が自分宛であるかどうかを判断し、受信したフレームの取捨選択を行う必要があり、ＯＬＴとＯＮＵの間ではこの判断を宛先ＯＮＵ毎にフレームに追加付与されるＬＬＩＤ（Ｌｏｇｉｃａｌ  Ｌｉｎｋ  ＩＤ）という識別子を用いて行う。また、ＯＮＵ毎に付与されるＬＬＩＤとは別に、決められた複数のＯＮＵが受信可能なマルチキャストＬＬＩＤが定義されている。
【０００５】
続いて、映像配信サーバからＴＶ受信端末までの映像用のフレームの伝送例を説明する。尚、本稿では、映像信号が格納されたフレームを映像フレームと呼ぶこととする。加えて、全てのＯＮＵに映像フレームを伝送するために、映像フレームには、例えば、マルチキャストＩＰアドレスとマルチキャストＭＡＣアドレスを使用する方法が考えられるが、これに限らない。コアＮＷを介して、映像配信サーバからエッジルータへ転送された映像フレームは、エッジルータにてマルチキャストＶＩＤを付与され、Ｌ２ＳＷへ転送される。マルチキャストＩＰアドレスをもつ映像フレームを受信したＬ２ＳＷは入力ポート以外の全てのポートにフレームを複製して転送するため、映像フレームは全ＯＬＴへ転送される。そして、映像フレームを受信したＯＬＴは、ＭＡＣ制御部にて映像フレームにマルチキャストＬＬＩＤを付与し、その後、光送受信器から映像フレームを光信号に変換して出力する。映像フレームは光スプリッタにてコピーされて、光ファイバを介して全ＯＮＵへ到達する。映像フレームを受信したＯＮＵは、光送受信器にて光信号を電気信号に変換し、ＭＡＣ制御部にて、受信したフレームが自分宛てであるかどうかを判断し、受信した映像フレームの取捨選択を行う。本例では、受信した映像フレームはマルチキャストＶＩＤとマルチキャストＬＬＩＤが付与されているため、ＯＮＵ内のＭＡＣ制御部は受信した映像フレームを取り込む。従って、映像配信サーバ＃Ａと映像配信サーバ＃Ｂから転送される全てのチャネル１、２、３、ｉ、ｉｉ、ｉｉｉの映像フレームが、ＯＮＵ＃１〜＃４からＳＴＢ＃１〜＃４へ転送される。そして、ＳＴＢにてチャネル選択を行うことで、特定のチャネルの映像のみをＴＶ受信端末へ転送する。図１では、ＳＴＢ＃１にてチャネル１を選択することで、ＴＶ受信端末＃１は映像配信事業者Ａから転送されたチャネル１を受信する。同様に、ＴＶ受信端末＃２は映像配信事業者Ｂから転送されたチャネルｉ、ＴＶ受信端末＃３は映像配信事業者Ａから転送されたチャネル２、ＴＶ受信端末＃４は映像配信事業者Ｂから転送されたチャネルｉｉを受信する。
【０００６】
ところで，映像配信サービスの進展に加え、大容量ファイルをアップロード／ダウンロードするアプリケーションの登場等により、ＰＯＮシステムの更なる大容量化が求められており、近年は波長分割多重（ＷＤＭ）技術の適用が検討されている。例えば、各ＯＮＵに搭載する光送信器及び光受信器に波長可変機能を備えた、波長可変型ＷＤＭ／ＴＤＭ−ＰＯＮが提案されている（非特許文献３）。波長可変型ＷＤＭ／ＴＤＭ−ＰＯＮでは、同一波長を割当てられたＯＮＵと収容局側終端装置（ＯＳＵ：Ｏｐｔｉｃａｌ  Ｓｕｂｓｃｒｉｂｅｒ  Ｕｎｉｔ）が通信しており、各ＯＮＵにおける送受信波長の切替により、通信相手のＯＳＵをＯＮＵ単位で変更できる。
【先行技術文献】
【非特許文献】
【０００７】
【非特許文献１】宮本正和，佐藤裕昭，“高速ザッピング機能を備えた多分岐Ｅ−ＰＯＮアクセスにおけるＩＰマルチキャスト配信制御法に関する研究”，信学技報，２０１２−０３，２０１２
【非特許文献２】ＩＥＥＥ８０２．１Ｄ  “Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  --ＩＥＥＥ  ｓｔａｎｄａｒｄ  ｆｏｒ  ｌｏｃａｌ  ａｎｄ  ｍｅｔｒｏｐｏｌｉｔａｎ  ａｒｅａ  ｎｅｔｗｏｒｋｓ  −−  Ｃｏｍｍｏｎ  ｓｐｅｃｉｆｉｃａｔｉｏｎｓ  −−  Ｍｅｄｉａ  ａｃｃｅｓｓ  ｃｏｎｔｒｏｌ  （ＭＡＣ）  Ｂｒｉｄｇｅｓ”、１９９８
【非特許文献３】Ｓｈｕｎｊｉ．Ｋｉｍｕｒａ,“ＷＤＭ／ＴＤＭ−ＰＯＮ  Ｔｅｃｈｎｏｌｏｇｉｅｓ  ｆｏｒ  Ｆｕｔｕｒｅ  Ｆｌｅｘｉｂｌｅ  Ｏｐｔｉｃａｌ  Ａｃｃｅｓｓ  Ｎｅｔｗｏｒｋｓ，”  ＯＥＣＣ２０１０,  ６Ａ１−１,  ２０１０．
【非特許文献４】Ｓｈｉｎ  Ｋａｎｅｋｏ，  Ｔｏｍｏａｋｉ  Ｙｏｓｈｉｄａ，  Ｓａｔｏｓｈｉ  Ｆｕｒｕｓａｗａ，  Ｍａｓａｈｉｒｏ  Ｓａｒａｓｈｉｎａ，  Ｈｉｄｅａｋｉ  Ｔａｍａｉ，Ａｋｉｙａ  Ｓｕｚｕｋｉ，  Ｔｏｓｈｉａｋｉ  Ｍｕｋｏｊｉｍａ，  Ｓｈｕｎｊｉ  Ｋｉｍｕｒａ，ａｎｄ  Ｎａｏｔｏ  Ｙｏｓｈｉｍｏｔｏ，“Ｆｉｒｓｔ  Ｓｙｓｔｅｍ  Ｄｅｍｏｎｓｔｒａｔｉｏｎ  ｏｆ  Ｈｉｔｌｅｓｓ  λ−Ｔｕｎｉｎｇ  Ｓｅｑｕｅｎｃｅ  ｆｏｒ  Ｄｙｎａｍｉｃ  Ｗａｖｅｌｅｎｇｔｈ  Ａｌｌｏｃａｔｉｏｎ  ｉｎ  ＷＤＭ／ＴＤＭ−ＰＯＮ，“  ＯＦＣ２０１４，  Ｗ３Ｇ．６，２０１４
【非特許文献５】Ｊｕｎ  Ｓｕｇａｗａ，Ｔｏｓｈｉｙｕｋｉ  Ｏｄａｋａ，ａｎｄＨｄｅｈｉｒｏ  Ｔｏｙｏｄａ，“Ｗａｖｅｌｅｎｇｔｈ  Ｓｗｉｔｃｈｉｎｇ  Ｍｅｔｈｏｄ  ｃｏｍｂｉｎｅｄ  ｗｉｔｈ  Ｄｏｗｎｓｔｒｅａｍ  Ｑｕｅｕｅ  Ｍｏｎｉｔｏｒｉｎｇ  ｐｅｒ  ＯＮＵ  ｆｏｒ  λ−ｔｕｎａｂｌｅ  ＷＤＭ／ＴＤＭ−ＰＯＮ，”  ＥＣＯＣ２０１４、Ｔｕ．１．２．３，  ２０１４
【発明の概要】
【発明が解決しようとする課題】
【０００８】
図１に示した関連技術では、複数の映像配信事業者の全チャネルを単一の波長でブロードキャスト配信している。そのため、同時配信可能なチャネル数や映像配信事業者数が一波長あたりの通信速度に制限される。例えば、通信速度１Ｇビット／ｓであるＧＥ−ＰＯＮのブロードキャスト技術を用いると、１チャネルあたり４０Ｍビット／ｓの映像信号を約２５チャネルまで同時に配信できるが、図１の構成では、映像配信事業者Ａと映像配信事業者Ｂ合わせて２５チャネルに制限される。加えて、複数の映像配信事業者で帯域を共有するため、単一の映像配信事業者あたりのチャネル数を映像配信事業者自身の裁量のみで増やすことが難しく、映像配信事業者間の協議が必要になる。また、全映像配信事業者からの配信映像がＯＮＵからＳＴＢへ配信されるため、ＯＮＵとＳＴＢ間に高速な通信速度を有するインタフェースが必要となる。さらに、映像配信事業者ＢのＳＴＢを入手することができれば、映像配信事業者Ａの契約者でも映像配信事業者Ｂの配信する映像フレームを受信できてしまうリスクがある。
【０００９】
つまり、上記した関連技術には、次の３つの課題が存在している。
（課題１）関連技術のような映像を配信するコンテンツ配信システムは、ＰＯＮの通信速度がボトルネックとなり、コンテンツの配信量が制限されている。
（課題２）関連技術のような映像を配信するコンテンツ配信システムは、コンテンツ配信量の増加に伴い、ＯＮＵとＳＴＢ間に高速な通信速度を有するインタフェースが必要となる。
（課題３）関連技術のような映像を配信するコンテンツ配信システムは、コンテンツが漏洩する可能性がある。
【００１０】
そこで、本発明は、上記の課題を解決するために、コンテンツの配信量の制限を緩和でき、ＯＮＵとＳＴＢ間のインタフェースの高速化が不要で、コンテンツ漏洩のリスクを低減できるＯＬＴ及びコンテンツ配信方法を提供することを目的とする。
【課題を解決するための手段】
【００１１】
本発明に係るＯＬＴ及びコンテンツ配信方法は、ＰＯＮにおいて、上位ＮＷから転送された多チャネル映像フレームを複数のチャネル群に分け、前記チャネル群毎に異なるＯＳＵへ振り分けて多チャネル映像フレームをチャネル群毎に異なる波長で転送することで、映像配信の効率的な配信と他事業者の映像配信の漏洩防止を可能とする。
【００１２】
具体的には、本発明に係るＯＬＴは、コンテンツ配信システムに配置されるＰＯＮが備える、複数のＯＮＵと光伝送路で接続されるＯＬＴであって、
互いに異なる送信波長が設定される複数のＯＳＵと、
前記ＰＯＮのコンテンツ配信サーバ側にある上位ネットワークから転送された多チャネル信号を前記コンテンツ配信サーバ毎のグループに分け、前記グループ毎に異なる前記ＯＳＵへ出力する振り分け部と、
前記ＯＮＵと通信する前記ＯＳＵの関係を記載した対応表を有し、前記対応表に基づき、それぞれの前記ＯＮＵの受信波長を決定する波長切替制御部と、
前記ＯＳＵの出力信号を合波し、前記光伝送路へ出力する合波部と、
を有することを特徴とする。
【００１３】
本発明に係るＯＬＴの前記波長切替制御部は、前記対応表に記載された前記関係に変更があった場合、変更対象の前記ＯＮＵの受信波長を前記ＯＳＵを介して設定することを特徴とする。
【００１４】
また、本発明に係るコンテンツ配信方法は、コンテンツ配信システムに配置されるＰＯＮが備える、複数のＯＮＵと光伝送路で接続されるＯＬＴにおけるコンテンツ配信方法であって、
前記ＯＬＴが有する複数のＯＳＵに互いに異なる送信波長を設定する波長設定手順と、
前記ＰＯＮのコンテンツ配信サーバ側にある上位ネットワークから転送された多チャネル信号を前記コンテンツ配信サーバ毎のグループに分け、前記グループ毎に異なる前記ＯＳＵへ出力する振り分け手順と、
前記ＯＮＵと通信する前記ＯＳＵの関係を記載した対応表に基づき、それぞれの前記ＯＮＵの受信波長を決定する波長切替制御手順と、
前記多チャネル信号を前記グループ毎に異なる波長で前記ＯＮＵへ転送する転送手順と、
を行うことを特徴とする。
【００１５】
本発明は、コンテンツ配信システムのＰＯＮ区間を波長多重化している。このため、本発明は、課題１を解決することができる。また、本発明は、ＯＮＵで所望のコンテンツ配信サーバからの信号しか受信しない。このため、ＯＮＵとＳＴＢ間に全てのコンテンツ配信サーバからの信号を伝送できる高速な通信速度を有するインタフェースが不要となり、課題２を解決することができる。さらに、ＳＴＢが契約外のコンテンツ配信サーバからの信号を受信することはなく、課題３を解決することができる。
【００１６】
従って、本発明は、コンテンツの配信量の制限を緩和でき、ＯＮＵとＳＴＢ間のインタフェースの高速化が不要で、コンテンツ漏洩のリスクを低減できるＯＬＴ及びコンテンツ配信方法を提供することができる。
【発明の効果】
【００１７】
本発明は、コンテンツの配信量の制限を緩和でき、ＯＮＵとＳＴＢ間のインタフェースの高速化が不要で、コンテンツ漏洩のリスクを低減できるＯＬＴ及びコンテンツ配信方法を提供することができる。
【図面の簡単な説明】
【００１８】
【図１】本発明に関連するコンテンツ配信システムを説明する図である。
【図２】本発明に係るＯＬＴを備えるコンテンツ配信システムを説明する図である。
【図３】本発明に係るＯＬＴが有する対応表を説明する図である。
【図４】本発明に係るコンテンツ配信方法を説明するシーケンス図である。
【図５】本発明に係るコンテンツ配信方法を説明するシーケンス図である。
【図６】本発明に係るコンテンツ配信方法を説明するシーケンス図である。
【図７】本発明に係るＯＬＴを備えるコンテンツ配信システムを説明する図である。
【図８】本発明に係るＯＬＴを備えるコンテンツ配信システムを説明する図である。
【図９】本発明に係るＯＬＴが有する対応表を説明する図である。
【図１０】本発明に係るＯＬＴを備えるコンテンツ配信システムを説明する図である。
【発明を実施するための形態】
【００１９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。また、本明細書では、コンテンツが映像であるとして説明する。
【００２０】
（実施形態１）
図２は、本実施形態のＯＬＴを備えるコンテンツ配信システム３０１を説明する図である。コンテンツ配信システム３０１は、波長可変型ＷＤＭ／ＴＤＭ−ＰＯＮを用いたＮＷ構成である。まず、映像配信サーバ１１０からＴＶ受信端末１７０までのＮＷ構成を説明する。映像配信サーバ１１０として、映像配信事業者Ａがチャネル１、２、３の映像フレームを配信する映像配信サーバ＃Ａ、そして、映像配信事業者Ｂがチャネルｉ、ｉｉ、ｉｉｉの映像フレームを配信する映像配信サーバ＃Ｂを備える。コアＮＷとアクセスＮＷの境界にはエッジルータ１２０を備える。アクセスＮＷは、Ｌ２ＳＷ１３０、ＯＬＴ１４０（１４０＃１、１４０＃２）、光ファイバ１８０、光スプリッタ１８５、ＯＮＵ１５０（１５０＃１〜＃４）を備える。
【００２１】
ＯＬＴ１４０は、コンテンツ配信システムに配置されるＰＯＮが備える、複数のＯＮＵ１５０と光伝送路１８０で接続されるＯＬＴであって、
互いに異なる送信波長が設定される複数のＯＳＵ１４１と、
前記ＰＯＮのコンテンツ配信サーバ側にある上位ネットワーク（コアＮＷ）から転送された多チャネル信号をコンテンツ配信サーバ毎のグループに分け、前記グループ毎に異なるＯＳＵ１４１へ出力する振り分け部１４２と、
ＯＮＵ１５０と通信するＯＳＵ１４１の関係を記載した対応表を有し、前記対応表に基づき、それぞれのＯＮＵ１５０の受信波長を決定する波長切替制御部１４３と、
ＯＳＵ１４１の出力信号を合波し、光伝送路１８０へ出力する合波部１４４と、
を有することを特徴とする。
【００２２】
本実施形態では、ＯＬＴ１４０＃１及びＯＬＴ１４０＃２はそれぞれ、波長切替制御部１４３、振り分け部１４２、及びＯＳＵ（１４１＃１、１４１＃２）を備える。ＯＳＵ１４１はそれぞれ光送受信器とＭＡＣ機能部を備える。各ＯＮＵ１５０は波長可変光送受信器とＭＡＣ制御部を備える。光伝送路１８０は光ファイバと光スプリッタ１８５で構成される。ＯＬＴ１４０＃１内のＯＳＵ１４１＃１及びＯＳＵ１４１＃２は光伝送路１８０を介してＯＮＵ１５０＃１及びＯＮＵ１５０＃２と接続する。ＯＬＴ１４０＃２内のＯＳＵ１４１＃１及びＯＳＵ１４１＃２も光伝送路１８０を介してＯＮＵ１５０＃３及びＯＮＵ１５０＃４と接続する。ユーザ宅内は、ＳＴＢ１６０とＴＶ受信端末１７０を備える。ＯＮＵ１５０＃１はＳＴＢ１６０＃１を介してＴＶ受信端末１７０＃１と接続する。ＯＮＵ１５０＃２はＳＴＢ１６０＃２を介してＴＶ受信端末１７０＃２と接続する。ＯＮＵ１５０＃３はＳＴＢ１６０＃３を介してＴＶ受信端末１７０＃３と接続する。ＯＮＵ１５０＃４はＳＴＢ１６０＃４を介してＴＶ受信端末１７０＃４と接続する。
【００２３】
ＯＳＵ１４１＃１内の光送受信器の送受信波長はλ１ｕ，ｄに、ＯＳＵ１４１＃２内の光送受信器の送受信波長はλ２ｕ，ｄに設定されている。また、ＯＮＵ１５０＃１〜＃４内の波長可変光送受信器の波長はλ１ｕ，ｄまたはλ２ｕ，ｄのどちらかに設定でき、同一波長に設定されたＯＳＵと通信する。また、波長可変光送受信器の波長を変更することで、通信相手のＯＳＵを変更できる。波長切替制御部１４３は、図３に示すようなＯＮＵとＯＳＵと映像配信事業者の対応表を備える。ＯＳＵと映像配信事業者は１対１に対応する。
【００２４】
波長切替制御部１４３は、前記対応表に記載された前記関係に変更があった場合、変更対象のＯＮＵ１５０の受信波長をＯＳＵ１４１を介して設定することを特徴とする。ユーザが従前とは異なる映像配信事業者からの映像視聴を希望する場合、図３の対応表を書き換え、対応表に従ってＯＮＵ１５０内の波長可変光送受信器の設定波長を変更する。これで、ＯＮＵ１５０が映像フレームを受信する映像配信事業者を変更できる。さらに、ＯＮＵ１５０内の波長可変光送受信器の設定波長の変更は、波長切替制御部１４３からＯＳＵ１４１へ波長切替指示を送信し、波長切替指示を受信したＯＳＵ１４１から該当するＯＮＵ１５０へ波長切替指示を送信し、ＯＮＵ内の波長可変光送受信器にて設定波長を変更することで実現する。設定波長の変更方法は例えば非特許文献４にて示されているが、本実施形態ではその具体的な方法は問わない。
【００２５】
初期状態として、ＯＮＵ１５０＃１とＯＮＵ１５０＃３内の光送受信器の送受信波長はλ１ｕ，ｄに設定され、同一波長に設定されたＯＳＵ１４１＃１と通信するとする。ＯＮＵ１５０＃２とＯＮＵ１５０＃４内の光送受信器の送受信波長はλ２ｕ，ｄに設定され、同一波長に設定されたＯＳＵ１４１＃２と通信するとする。更に、ＯＮＵ１５０＃１はチャネル１を、ＯＮＵ１５０＃２はチャネルｉを、ＯＮＵ１５０＃３はチャネル２を、ＯＮＵ１５０＃４はチャネルｉｉを視聴しているとした。
【００２６】
続いて、本実施形態における映像配信サーバ１１０からＴＶ受信端末１７０までの映像フレームの伝送例を説明する。全てのＯＮＵ１５０に映像フレームを伝送するために、映像フレームには、例えば、マルチキャストＩＰアドレスとマルチキャストＭＡＣアドレスを使用する方法が考えられるが、これに限らない。コアＮＷを介して、映像配信サーバ１１０からエッジルータ１２０へ伝送された映像フレームは、エッジルータ１２０にてマルチキャストＶＩＤを付与され、Ｌ２ＳＷ１３０へ転送される。マルチキャストＩＰアドレスをもつ映像フレームを受信したＬ２ＳＷ１３０は入力ポート以外の全てのポートにフレームを送信するため、映像フレームは全ＯＬＴ１４０へ送信される。そして、映像フレームを受信したＯＬＴ１４０は、振り分け部１４２にて、映像配信事業者ごとに異なるＯＳＵ１４１へ映像フレームを振り分ける。映像フレームの振り分け手順の一例としては、以降に述べる手順が考えられるが、本手順に限らない。まず、振り分け部１４２内でＩＥＥＥ８０２．１ａｄ拡張ＶＬＡＮによるフレーム変換を行い、受信したフレームにマルチキャストＶＩＤに加えて、Ｓ−ｔａｇ（Ｓｅｒｖｉｃｅ  ＴＡＧ）を付加し、そして、Ｓ−ｔａｇに従って、振り分け部１４２内に新たに設けるＬ２ＳＷを用いて振り分ける方法が考えられる（非特許文献５）。送信元ＩＰアドレスまたは送信元ＭＡＣアドレスを参照し、送信元ＩＰアドレス、もしくは送信元ＭＡＣアドレス毎に異なるＳ−ｔａｇを付加することで、映像配信事業者毎に異なるＯＳＵへ映像フレームを振り分けることができる。図２では、映像配信事業者Ａが配信する映像フレーム１、２、３はＯＳＵ１４１＃１へ、映像配信事業者Ｂが配信する映像フレームｉ、ｉｉ、ｉｉｉはＯＳＵ１４１＃２へ転送される。
【００２７】
映像フレームを受信したＯＳＵ１４１内のＭＡＣ機能部は、映像フレームにマルチキャストＬＬＩＤを付与して光受信器へ送信する。そして、ＯＳＵ１４１内の光送受信器から、映像フレーム１、２、３はλ１ｕ，ｄの波長で、映像フレームｉ、ｉｉ、ｉｉｉはλ２ｕ，ｄの波長で出力される。映像フレームは光スプリッタ１８５にてコピーされて、光ファイバを介して、光スプリッタ配下の全ＯＮＵ１５０へ到達する。ＯＮＵ１５０内の波長可変光送受信器では設定された波長の映像フレームのみを受信する。ＯＮＵ１５０＃１とＯＮＵ１５０＃３内の波長可変光送受信器の波長はλ１ｕ，ｄに設定されており、チャネル１、２、３の映像フレームのみを受信する。ＯＮＵ１５０＃２とＯＮＵ１５０＃４内の波長可変光送受信器の波長はλ２ｕ，ｄに設定されており、チャネルｉ、ｉｉ、ｉｉｉの映像フレームのみを受信する。
【００２８】
映像フレームを受信したＯＮＵ１５０は、光送受信器にて光信号を電気信号に変換し、ＭＡＣ制御部にて、受信したフレームが自分宛てであるかどうかを判断し、受信した映像フレームの取捨選択を行う。本例では、受信した映像フレームはマルチキャストＶＩＤとマルチキャストＬＬＩＤが付与されているため、ＯＮＵ１５０内のＭＡＣ制御部は受信した映像フレームを取り込む。従って、映像配信サーバ１１０＃Ａから転送される全てのチャネル１、２、３の映像フレームが、ＯＮＵ１５０＃１からＳＴＢ１６０＃１へ、ＯＮＵ１５０＃３からＳＴＢ１６０＃３へそれぞれ転送される。また、映像配信サーバ１１０＃Ｂから転送される全てのチャネルｉ、ｉｉ、ｉｉｉの映像フレームが、ＯＮＵ１５０＃２からＳＴＢ１６０＃２へ、ＯＮＵ１５０＃４からＳＴＢ１６０＃４へそれぞれ転送される。
【００２９】
最後に、ＳＴＢ１６０にてチャネル選択を行うことで、特定のチャネルの映像のみをＴＶ受信端末１７０へ転送する。図２では、ＳＴＢ１６０＃１にてチャネル１を選択することで、ＴＶ受信端末１７０＃１は映像配信事業者Ａから転送されたチャネル１を受信する。同様に、ＴＶ受信端末１７０＃２は映像配信事業者Ｂから転送されたチャネルｉ、ＴＶ受信端末１７０＃３は映像配信事業者Ａから転送されたチャネル２、ＴＶ受信端末１７０＃４は映像配信事業者Ｂから転送されたチャネルｉｉを受信する。
【００３０】
続いて、コンテンツ配信システム３０１のコンテンツ配信方法を説明する。本コンテンツ配信方法は、コンテンツ配信システムに配置されるＰＯＮが備える、複数のＯＮＵと光伝送路で接続されるＯＬＴにおけるコンテンツ配信方法であって、
前記ＯＬＴが有する複数のＯＳＵに互いに異なる送信波長を設定する波長設定手順と、
前記ＰＯＮのコンテンツ配信サーバ側にある上位ネットワークから転送された多チャネル信号を前記コンテンツ配信サーバ毎のグループに分け、前記グループ毎に異なる前記ＯＳＵへ出力する振り分け手順と、
前記ＯＮＵと通信する前記ＯＳＵの関係を記載した対応表に基づき、それぞれの前記ＯＮＵの受信波長を決定する波長切替制御手順と、
前記多チャネル信号を前記グループ毎に異なる波長で前記ＯＮＵへ転送する転送手順と、
を行うことを特徴とする。
【００３１】
図４は、コンテンツ配信システム３０１のチャネル選択シーケンスを説明する図である。図４中の点線矢印はチャネル１，２，３の映像フレームの伝送経路、一点鎖線矢印はチャネルｉ、ｉｉ、ｉｉｉの映像フレームの伝送経路、実線矢印は制御信号の伝送経路を示す。本実施例では、ＯＮＵ１５０＃１が視聴チャネルをチャネル１からチャネル２へ変更する場合を示す。
【００３２】
まず、映像配信サーバ１１０＃Ａから送信されたチャネル１、２、３の映像フレームは、順番に、エッジルータ１２０、振り分け部１４２、ＯＳＵ１４１＃１、ＯＮＵ１５０＃１を介してＳＴＢ１６０＃１で受信される。そして、ＳＴＢ１６０＃１にてチャネル１、２、３から視聴チャネルを選択し、選択したチャネルのみをＴＶ受信端末１７０＃１へ転送する。ＳＴＢ１６０＃１にて選択するチャネルを変更することで、ＴＶ受信端末１７０＃１で受信するチャネルを変更できる。例えば、図４に示すように、ユーザはリモコン等を操作して、ＳＴＢ１６０＃１にて選択するチャネルをチャネル１からチャネル２へ変更することで、視聴チャネルを変更する。
【００３３】
一方で、映像配信サーバ１１０＃Ｂから送信されたチャネルｉ、ｉｉ、ｉｉｉの映像フレームは、順番に、エッジルータ１２０、振り分け部１４２、ＯＳＵ１４１＃２を介して、ＯＮＵ１５０＃１へ転送される。しかし、ＯＳＵ１４１＃２内の光送受信器の波長はλ２ｕ，ｄに設定されており、ＯＮＵ１５０＃１内の光送受信器の波長はλ１ｕ，ｄに設定されているため、ＯＳＵ１４１＃２から送信された映像フレームはＯＮＵ１５０＃１の光送受信器で遮断される。
【００３４】
図５は、コンテンツ配信システム３０１のチャネル選択シーケンスを説明する図である。図５では、ＯＮＵ１５０＃１が視聴チャネルをチャネル１からチャネルｉへ変更する場合を示す。尚、チャネル１は映像配信事業者Ａのサーバ１１０＃Ａ、そして、チャネルｉは映像配信事業者Ｂのサーバ１１０＃Ｂから配信されている。図４とは異なり、図５は映像配信事業者を変更する手順である。図４と同様に、点線矢印はチャネル１，２，３の映像フレームの伝送経路、一点鎖線矢印はチャネルｉ、ｉｉ、ｉｉｉの映像フレームの伝送経路、実線矢印は制御信号の伝送経路を示す。
【００３５】
まず、映像配信事業者を変更したいユーザは、映像配信事業者Ａに視聴終了、映像配信事業者Ｂに視聴開始を申し入れる。視聴終了を受けた映像配信事業者Ａと視聴開始を受けた映像配信事業者Ｂは、ＯＬＴ装置を管理するＯＬＴ装置管理事業者と、視聴終了，視聴開始日時を協議し，決定する。視聴終了日時以降，映像配信事業者Ａは、ユーザ宅から映像配信事業者Ａ専用のＳＴＢ１６０＃１（Ａ）を撤去する。また、映像配信事業者Ｂは、視聴開始日時より前に、ユーザ宅へ映像配信事業者Ｂ専用のＳＴＢ１６０＃１（Ｂ）を設置する。ＳＴＢ１６０＃１（Ａ）の撤去とＳＴＢ１６０＃１（Ｂ）の設置完了後、視聴開始日時になると、ＯＬＴ装置管理事業者は、申込みのあったユーザ宅にあるＯＮＵ１５０＃１内の光送受信器の送受信波長を変更する指示を送るよう、ＯＬＴ１４０内の波長切替制御部１４３へ設定する。または、変更日時にてＯＬＴ１４０に対して波長切替指示をコマンド投入してもよい。
【００３６】
設定を受信した波長切替制御部１４３は、ＯＮＵ１５０＃１の送受信波長をλ１ｕ，ｄからλ２ｕ，ｄへ変更する波長切替指示を、ＯＮＵ１５０＃１が通信するＯＳＵ１４１＃１を介して送信する。波長切替指示を受信したＯＮＵ１５０＃１は、波長可変光送受信器の送受信波長をλ１ｕ，ｄからλ２ｕ，ｄへ変更する。送受信波長の設定が完了したＯＮＵ１５０＃１はＯＳＵ１４１＃２へ波長切替完了通知を送信する。この時点で、映像配信事業者変更が完了し、ＯＮＵ１５０＃１はチャネルｉ、ｉｉ、ｉｉｉを全て受信し、ＳＴＢへ配信する。そして、ユーザがＴＢ１６０にてチャネル選択を行うことで、映像配信事業者Ｂが提供するチャネルの映像のみがＴＶ受信端末１７０＃１へ転送される。
【００３７】
＜課題１を解決できる理由＞
本実施形態では、関連技術に比べて、アクセスＮＷを波長可変型ＷＤＭ／ＴＤＭ−ＰＯＮで構成し、一映像配信事業者の全チャネルを一波長でブロードキャスト配信し、且つ、複数波長を波長多重して伝送している。従って、一波長あたりの最大通信速度まで各映像配信事業者がチャネル数を増加させることが可能である。また、ＯＮＵが使用可能な最大波長数までであれば、追加する映像配信事業者に新たな波長を割り当てることで、映像配信事業者の追加も可能である。従って、一映像配信事業者あたりのチャネル数を低減させるといった、事業者間の調整を必要とせずに映像配信事業者数を増加させることができる。
【００３８】
＜課題２を解決できる理由＞
また、ＯＮＵとＳＴＢの間は一映像配信事業者の配信映像のみが転送されるため、全映像配信事業者の全チャネルをＳＴＢに転送する従来例に比べてＯＮＵとＳＴＢ間のインタフェースに要求される帯域が小さくなる。例えば、図１に示した従来技術では、ＯＮＵとＳＴＢ間インタフェースにはチャネル１、２、３、ｉ、ｉｉ、ｉｉｉの全映像フレームを送信可能な帯域が必要であるが、本実施例においては、チャネル１、２、３、または、チャネルｉ、ｉｉ、ｉｉｉのどちらかでよい。従って、ＯＮＵとＳＴＢ間のインタフェースの帯域を下げることで、インタフェースを経済化できる。
【００３９】
＜課題３を解決できる理由＞
また、ＯＮＵ内の波長可変光送受信器の送受信波長を変更することで映像フレームを受信する映像配信事業者を変更する。従って、ＯＮＵは設定された映像配信事業者以外の映像配信事業者から配信された映像フレームを受信しない。このため、設定された映像配信事業者以外から配信された映像フレームがＯＮＵからＳＴＢへ転送されることを防ぐことができる。これにより、映像配信事業者ＢのＳＴＢを入手するなどして、映像配信事業者Ａの契約者でも映像配信事業者Ｂの配信する映像フレームを受信できてしまうリスクを防ぐことができる。
【００４０】
（実施形態２）
図５では、ＯＮＵ内の波長可変光送受信器の送受信波長を変更することで、映像フレームを受信する映像配信事業者を変更できた。しかし、映像配信事業者毎に異なるＳＴＢをユーザ宅内に用意する必要があるため、ＳＴＢの交換に時間がかかってしまう。そこで、本実施形態では、ＳＴＢのファームウェア更新を行うことで、ＳＴＢの交換を不要として映像配信事業者変更時間を短くする映像配信事業者選択シーケンスを示す。
【００４１】
本実施形態では、ＯＳＵからの指示に従ってファームウェアを更新可能なＳＴＢをユーザ宅内に備える。図６は、図２に示したＮＷ構成における映像配信事業者選択シーケンスを説明する図である。図４と同様に、点線矢印はチャネル１，２，３の映像フレームの伝送経路、一点鎖線矢印はチャネルｉ、ｉｉ、ｉｉｉの映像フレームの伝送経路、実線矢印は制御信号の伝送経路を示す。本実施形態では、ＯＮＵ１５０＃１が視聴チャネルをチャネル１からチャネルｉへ変更する場合を示す。尚、チャネル１は映像配信事業者Ａのサーバ１１０＃Ａ、そして、チャネルｉは映像配信事業者Ｂのサーバ１１０＃Ｂから配信されている。本実施形態では次のように映像配信事業者を変更する。
【００４２】
映像配信事業者選択シーケンスを、主に図５との差分について説明する。映像配信事業者変更日時になると、ＯＬＴ装置管理事業者は、申込みのあったユーザ宅にあるＳＴＢ１６０＃１へＯＳＵ１４１＃１とＯＮＵ１５０＃１を介してファームウェアを提供する。ファームウェアを提供されたＳＴＢ１６０＃１は、ファームウェアの更新を行う。その後、ＯＮＵ１５０＃１内の光送受信器の送受信波長をλ１ｕ，ｄからλ２ｕ，ｄへ変更する。
【００４３】
本実施形態では、第１の実施形態の利点に加えて、ファームの更新により、ＳＴＢで信号変換を行う映像配信事業者を変更することができるため、映像配信事業者変更に伴ってＳＴＢを交換する必要がない。そこで、ＳＴＢ交換にかかる時間を短縮することができる。
【００４４】
（実施形態３）
図２のコンテンツ配信システム３０１では、映像配信サーバ１１０＃Ａから配信される映像と映像配信サーバ１１０＃Ｂから配信される映像は、同一のコアＮＷを介して、エッジルータ１２０へ配信される。しかし、複数映像配信事業者間のトラフィックが同一のＮＷを介した場合、参入可能な映像配信事業者数はコアＮＷの伝送性能に依存するため、追加できる映像配信事業者数に制限がある。このため、一映像配信事業者あたりのチャネル数を映像配信事業者自身の裁量のみで増設することが難しく、映像配信事業者間の協議及びコアＮＷを管理するコアＮＷ管理映像配信事業者との協議が必要になる。そこで、本実施形態では、コアＮＷの伝送性能に関わらず映像配信事業者の追加を可能とするＮＷ構成を示す。
【００４５】
図７は、本実施形態のコンテンツ配信システム３０２を説明する図である。コンテンツ配信システム３０２は、図２のコンテンツ配信システム３０１に比べて、コアＮＷ内で、映像フレームを映像配信事業者毎に異なる波長を用いて伝送する。映像配信サーバからＴＶ受信端末までの映像フレームの伝送に関して、主に図２との差分について説明する。
【００４６】
コアＮＷ内では、映像配信事業者毎にそれぞれ異なる波長を用いて、別々のＮＷで映像フレームは伝送される。例えば、映像配信サーバ１１０＃Ａからエッジルータ１２０まではλ１、映像配信サーバ１１０＃Ｂからエッジルータ１２０まではλ２を用いて映像フレームを伝送する。エッジルータ１２０へは波長毎に異なるポートから入力され、エッジルータ１２０からは映像配信事業者毎に異なるポートから出力される。映像フレームの転送に関して、その他の機能は、図２で説明した通りである。
【００４７】
本実施形態では、コアＮＷ内で、映像フレームを映像配信事業者毎に異なる波長を用いて伝送するため、映像配信事業者間のトラフィックはそれぞれ独立である。そこで、コアＮＷ内で用いる波長数の追加により、映像配信事業者数を追加できる。従って、一映像配信事業者あたりのチャネル数を映像配信事業者自身の裁量のみで増設する際の、映像配信事業者間の協議及びコアＮＷを管理するコアＮＷ管理映像配信事業者との協議が不要となる。
【００４８】
尚、通信フレームと映像フレームが異なる伝送方式である場合、例えば通信フレームはＥｔｈｅｒｎｅｔ（登録商標）であり映像フレームはＯＴＮ（Ｏｐｔｉｃａｌ  Ｔｒａｎｓｆｅｒ  Ｎｅｔｗｏｒｋ）やＳＤＨ（Ｓｙｎｃｈｒｏｎｏｕｓ  Ｄｉｇｉｔａｌ  Ｈｉｅｒａｒｃｈｙ）である場合、を想定し、ＯＳＵやＬ２ＳＷ１３０はそれぞれ異なる伝送方式に対応する機能を備えてもよい。加えて、波長切替制御部１４３がＯＳＵの伝送方式の切替を行う機能を備えてもよい。
【００４９】
（実施形態４）
図２のコンテンツ配信システム３０１では、一つのＯＬＴ内に同一波長に設定されたＯＳＵは一台だけである構成を説明した。しかし、ＯＬＴ内の振り分け部や波長切替制御部を共通化し、ＯＬＴを低コスト化するために、単一のＯＬＴ内に同一波長に設定されたＯＳＵを複数台備える場合が想定される。そこで、本実施形態では、単一のＯＬＴ内に同一波長に設定されたＯＳＵが複数台存在する場合のＮＷ構成を示す。
【００５０】
図８は、本実施形態のコンテンツ配信システム３０３を説明する図である。コンテンツ配信システム３０３は、単一のＯＬＴ内に同一波長に設定されたＯＳＵが複数台を備える波長可変型ＷＤＭ／ＴＤＭ−ＰＯＮを用いたＮＷ構成である。まず、映像配信サーバからＴＶ受信端末までのＮＷ構成を説明する。
【００５１】
映像配信サーバとして、映像配信事業者Ａがチャネル１、２、３の映像フレームを配信する映像配信サーバ１１０＃Ａ、そして、映像配信事業者Ｂがチャネルｉ、ｉｉ、ｉｉｉの映像フレームを配信する映像配信サーバ１１０＃Ｂを備える。コアＮＷとアクセスＮＷの境界にはエッジルータ１２０を備える。アクセスＮＷは、Ｌ２ＳＷ１３０、ＯＬＴ（１４０＃１、１４０＃２）、光ファイバ１８０、光スプリッタ１８５、ＯＮＵ（１５０＃１〜１５０＃４）を備える。ＯＬＴ１４０＃１及びＯＬＴ１４０＃２はそれぞれ、波長切替制御部１４３、振り分け部１４２、ＯＳＵ（１４１＃１、１４０＃２、１４０＃１−２、１４０＃２−２）を備える。各ＯＳＵは光送受信器とＭＡＣ制御部を備える。各ＯＮＵは波長可変光送受信器とＭＡＣ制御部を備える。ＯＬＴ１４０＃１内のＯＳＵ１４１＃１及びＯＳＵ１４１＃２は光伝送路１８０を介してＯＮＵ１５０＃１とＯＮＵ１５０＃２と接続する。ＯＬＴ１４０＃１内のＯＳＵ１４１＃１−２及びＯＳＵ１４１＃２−２は光伝送路１８０を介してＯＮＵ１５０＃３とＯＮＵ１５０＃４と接続する。ユーザ宅内は、ＳＴＢとＴＶ受信端末を備える。ＯＮＵ１５０＃１はＳＴＢ１６０＃１を介してＴＶ受信端末１７０＃１と接続する。ＯＮＵ１５０＃２はＳＴＢ１６０＃２を介してＴＶ受信端末１７０＃２と接続する。ＯＮＵ１５０＃３はＳＴＢ１６０＃３を介してＴＶ受信端末１７０＃３と接続する。ＯＮＵ１５０＃４はＳＴＢ１６０＃４を介してＴＶ受信端末１７０＃４と接続する。
【００５２】
ＯＳＵ１４１＃１とＯＳＵ１４１＃１−２内の光送受信器の送受信波長はλ１ｕ，ｄに、ＯＳＵ１４１＃２とＯＳＵ１４１＃２−２内の光送受信器の送受信波長はλ２ｕ，ｄに設定されている。また、ＯＮＵ内の波長可変光送受信器の波長はλ１ｕ，ｄまたはλ２ｕ，ｄに設定でき、同一波長に設定されたＯＳＵと通信する。波長切替制御部１４３は、図９に示すようなＯＮＵとＯＳＵと映像配信事業者の対応表を備える。ＯＳＵ内の光送受信器の設定波長と映像配信事業者は１対１に対応している。つまり、送受信波長がλ１ｕ，ｄに設定されているＯＳＵ１４１＃１とＯＳＵ１４１＃１−２は映像配信事業者Ａ、送受信波長がλ２ｕ，ｄに設定されているＯＳＵ１４１＃２とＯＳＵ１４１＃２−２は映像配信事業者Ｂに対応する。また、ＯＮＵの通信相手のＯＳＵを変更する度に前記対応表を書き換えることができる。波長切替制御部１４３にて、ＯＮＵとＯＳＵと映像配信事業者の対応表を書き換え、それに伴ってＯＮＵ内の波長可変光送受信器の設定波長を変更することで、ＯＮＵが映像フレームを受信する映像配信事業者を変更することができる。ＯＮＵ内の波長可変光送受信器の設定波長の変更は、波長切替制御部１４３より、ＯＳＵへ波長切替指示を送信し、波長切替指示を受信したＯＳＵから該当するＯＮＵへ波長切替指示を送信することで実現する（非特許文献４）。
【００５３】
初期状態として、ＯＮＵ１５０＃１内の光送受信器の送受信波長はλ１ｕ，ｄに設定され、物理的に接続されており、且つ同一波長に設定されたＯＳＵ１４１＃１と通信するとする。更に、ＯＮＵ１５０＃２内の光送受信器の送受信波長はλ２ｕ，ｄに設定され、ＯＳＵ１４１＃２と通信し、ＯＮＵ１５０＃３内の光送受信器の送受信波長はλ１ｕ，ｄに設定され、ＯＳＵ１４１＃１−２と通信し、ＯＮＵ１５０＃４内の光送受信器の送受信波長はλ２ｕ，ｄに設定され、ＯＳＵ１４１＃２−２と通信するとする。更に、ＯＮＵ１５０＃１はチャネル１を、ＯＮＵ１５０＃２はチャネルｉを、ＯＮＵ１５０＃３はチャネル２を、ＯＮＵ１５０＃４はチャネルｉｉを視聴するとした。
【００５４】
続いて、本実施形態における映像配信サーバ１１０からＴＶ受信端末１７０までの映像フレームの伝送例を説明する。全てのＯＮＵ１５０に映像フレームを伝送するために、映像フレームには、例えば、マルチキャストＩＰアドレスとマルチキャストＭＡＣアドレスを使用する方法が考えられるが、これに限らない。コアＮＷを介して伝送された映像フレームは、エッジルータ１２０にてマルチキャストＶＩＤを付与され、Ｌ２ＳＷ１３０へ転送される。マルチキャストＩＰアドレスをもつ映像フレームを受信したＬ２ＳＷ１３０は入力ポート以外の全てのポートにフレームを送信するため、映像フレームは全ＯＬＴ１４０へ送信される。そして、映像フレームを受信したＯＬＴ１４０は、振り分け部１４２にて、映像配信事業者ごとに異なるＯＳＵ１４１へ映像フレームを振り分ける。信号の振り分けは、例えば、振り分け部１４２内でＩＥＥＥ８０２．１ａｄ拡張ＶＬＡＮによるフレーム変換を行い、受信したフレームにマルチキャストＶＩＤに加えて、Ｓ−ｔａｇを付加し、そして、Ｓ−ｔａｇに従って、振り分け部１４２内に新たに設けるＬ２ＳＷ１３０を用いて振り分ける方法が考えられる（非特許文献５）。送信元ＩＰアドレスまたは送信元ＭＡＣアドレスを参照し、送信元ＩＰアドレスまたは送信元ＭＡＣアドレス毎に異なるＳ−ｔａｇを付加することで、映像配信事業者毎に異なるＯＳＵへ映像フレームを振り分ける。
【００５５】
本実施形態では、ＯＬＴ内の振り分け部１４２の設定が図２と異なる。振り分け部１４２の複数のＯＳＵ側ポートの中で、設定波長がλ１ｕ，ｄであるＯＳＵ１４１＃１とＯＳＵ１４１＃１−２と接続するポートをセグメント１、設定波長がλ２ｕ，ｄであるＯＳＵ１４１＃２とＯＳＵ１４１＃２−２と接続するポートをセグメント２と設定する。そして、振り分け部１４２では、Ｓ−ｔａｇに従って異なるセグメントへフレームをコピーして振り分ける。このようにして、映像配信事業者Ａが配信する映像フレーム１、２、３はＯＳＵ１４１＃１とＯＳＵ１４１＃１−２へ、映像配信事業者Ｂが配信する映像フレームｉ、ｉｉ、ｉｉｉはＯＳＵ１４１＃２とＯＳＵ１４１＃２−２へ転送される。
【００５６】
映像フレームを受信したＯＳＵ１４１は、ＯＳＵ内のＭＡＣ制御部にて映像フレームにマルチキャストＬＬＩＤを付与する。そして、ＯＳＵ１４１内の光送受信器にて、映像フレーム１、２、３はλ１ｕ，ｄの波長で、映像フレームｉ、ｉｉ、ｉｉｉはλ２ｕ，ｄの波長で光信号に変換される。そして、映像フレームは光スプリッタ１８５にてコピーされて、光ファイバを介して全ＯＮＵへ到達する。ＯＮＵ１５０内の波長可変光送受信器では設定された波長の信号のみを受信する。例えば、ＯＮＵ１５０＃１及びＯＮＵ１５０＃３内の波長可変光送受信器の波長はλ１ｕ，ｄに設定されているため、チャネル１、２、３の映像フレームのみを受信する。ＯＮＵ１５０＃２及びＯＮＵ１５０＃４内の波長可変光送受信器の波長はλ２ｕ，ｄに設定されているため、チャネルｉ、ｉｉ、ｉｉｉの映像フレームのみを受信する。
【００５７】
映像フレームを受信したＯＮＵ１５０は、光送受信器にて光信号を電気信号に変換し、ＭＡＣ制御部にて、受信したフレームが自分宛てであるかどうかを判断し、受信した映像フレームの取捨選択を行う。本例では、受信した映像フレームはマルチキャストＶＩＤとマルチキャストＬＬＩＤが付与されているため、ＯＮＵ１５０内のＭＡＣ制御部は受信した映像フレームを取り込む。従って、波長可変光送受信器の送受信波長がλ１ｕ，ｄに設定されているＯＮＵ１５０＃１及びＯＮＵ１５０＃３は、映像配信サーバＡから転送されるチャネル１，２，３をＳＴＢ１６０＃１及びＳＴＢ１６０＃３へ転送する。一方で、波長可変光送受信器の送受信波長がλ２ｕ，ｄに設定されているＯＮＵ１５０＃２及びＯＮＵ１５０＃４は、映像配信サーバＢから転送されるチャネルｉ，ｉｉ，ｉｉｉをＳＴＢ１６０＃２及びＳＴＢ１６０＃４へ転送する。そして、ＳＴＢにてチャネル選択を行うことで、特定のチャネルの映像のみをＴＶ受信端末１７０へ転送する。
【００５８】
本実施形態では、振り分け部１４２の複数の出力ポートを同一セグメントに分割して配信することで、単一のＯＬＴ内に同一波長に設定された複数のＯＳＵを備える場合もブロードキャスト映像配信を実現できる。従って、単一のＯＬＴ内に同一波長に設定されたＯＳＵを複数台備えることで、ＯＬＴ内の振り分け部１４２や波長切替制御部１４３を共通化し、ＯＬＴを経済化できる。
【００５９】
（実施形態５）
図８のコンテンツ配信システム３０３では、単一のＯＬＴ内に同一波長に設定された複数のＯＳＵを備えることで、ＯＬＴ内の振り分け部１４２や波長切替制御部１４３を共通化して、ＯＬＴを経済化している。この時、振り分け部１４２では、Ｓ−ｔａｇに従って異なるセグメントへフレームをコピーして振り分けるため、振り分け部１４２にフレームコピー機能を必要とする。そこで、同一波長に設定されたＯＳＵ数によっては、振り分け部１４２に高速な処理速度のフレームコピー機能が必要となり、振り分け部１４２が高価になる可能性がある。そこで、ＯＳＵ配下に光振り分け部１４２を追加し、光振り分け部１４２にてフレームコピーを行うＮＷ構成としてもよい。
【００６０】
図１０は、本実施形態のコンテンツ配信システム３０４を説明する図である。コンテンツ配信システム３０４は、ＯＳＵ配下に光振り分け部１４２を備えるＮＷ構成である。ＯＬＴ１４０＃１は、波長切替制御部１４３、振り分け部１４２、ＯＳＵ１４１＃１、ＯＳＵ１４１＃２、光振り分け部１４５を備える。ＯＬＴ１４０と光スプリッタ１８５間をつなぐファイバを支線ファイバとすると、光振り分け部１４５は、ＯＳＵ数と支線ファイバ数の積と同数の光スイッチ、支線ファイバ数と同数の波長フィルタを備える。波長フィルタは、ＯＳＵ数と同数のＯＳＵ側ポートと、単一のＯＮＵ側ポートを備え、複数波長の入力信号を統合して単一の出力ポートから出力する。
【００６１】
エッジルータ１２０からＯＮＵ１５０までの映像フレームの伝送に関して説明する。全てのＯＮＵ１５０に映像フレームを伝送するために、映像フレームには、例えば、マルチキャストＩＰアドレスとマルチキャストＭＡＣアドレスを使用する方法が考えられるが、これに限らない。コアＮＷを介して、映像配信サーバ１１０からエッジルータ１２０へ伝送された映像フレームは、エッジルータ１２０にてマルチキャストＶＩＤを付与され、Ｌ２ＳＷ１３０へ転送される。マルチキャストＩＰアドレスをもつ映像フレームを受信したＬ２ＳＷ１３０は入力ポート以外の全てのポートにフレームを送信するため、映像フレームは全ＯＬＴへ送信される。エッジルータ１２０からＯＬＴ１４０間は、マルチキャスト用ＶＩＤを付与して映像フレームを転送する。ＯＬＴ内の振り分け部１４２では、入力する映像フレームの送信元の映像配信事業者毎に、異なるＯＳＵ１４１へフレームを振り分ける。尚、フレームの振り分け方法は図２で説明した通りである。映像フレームはＯＳＵ内の光送受信器にて、ＯＳＵ毎に異なる決められた波長を用いて光信号に変換されて伝送される。
【００６２】
映像フレームは、光振り分け部１４５内にて、順番に光スイッチと波長フィルタを介して、支線ファイバへ入力する。ここで、光スイッチは、光スイッチ毎に信号を透過するか、遮断するか選択できる機能を有しており、そして、ＯＬＴ管理事業者は、光スイッチをコマンド入力などで制御できる。光振り分け部１４５を通過し、支線ファイバに入力した信号は光伝送路１８０を介してＯＮＵ１５０へ入力する。
【００６３】
コンテンツ配信システム３０４では、ＯＳＵ配下の光振り分け部１４５にて光分岐にてフレームのコピーを行うため、振り分け部１４２のフレームコピー機能に必要な処理速度を低減できる。更に、光振り分け部１４５内に支線ファイバ毎に信号を透過するか、遮断するか選択できる光スイッチを備えることで、支線ファイバ毎に映像フレームを転送するかしないかを選択することができる。前記の選択により、支線ファイバ配下に映像フレームを受信するユーザがいない場合に映像配信を中止し、中止した映像配信用の波長帯域を別サービスに使用することもできる。
【００６４】
［付記］
以下は、本実施形態のコンテンツ配信システムを説明したものである。
【００６５】
（１）：
パッシブ光アクセスネットワークシステムにおいて、
それぞれ異なる入出力波長に設定されており、且つ、複数のＯＮＵの中から同一の入出力波長に設定された一部のＯＮＵと通信するＯＳＵと、
上位ＮＷから転送された多チャネル映像フレームを複数のチャネル群に分け、前記チャネル群毎に異なるＯＳＵへ出力する振り分け部１４２と、
ＯＮＵの通信相手であるＯＳＵを決定し、且つ、前記ＯＳＵを介して該当するＯＮＵの入出力波長を設定する波長切替制御部１４３を備え、
多チャネル映像フレームをチャネル群毎に異なる波長で転送する
ことを特徴とするＯＬＴ。
【００６６】
（２）：
パッシブ光アクセスネットワークシステムにおいて、
単一、もしくは複数の入出力波長に設定され、且つ、前記入出力波長で送信された映像フレームを全て受信してＳＴＢへ転送する光送受信器を備え、
波長多重信号の中から任意の波長を選択し、該波長に含まれるチャネル群のみを受信する
ことを特徴とするＯＮＵ。
【００６７】
（３）：
パッシブ光アクセスネットワークシステムにおいて、
多チャネル映像フレームを複数のチャネル群に分け、チャネル群毎に異なる波長で転送するＯＬＴと、
波長多重信号の中から同一波長で送信されたチャネル群のみを受信するＯＮＵを備え、
信号光波長とチャネル群を対応させて転送する
ことを特徴とするコンテンツ配信システム。
【００６８】
（４）：
ＯＮＵの通信相手であるＯＳＵを決定し、且つ、ＯＮＵが受信するチャネル群を変更する場合は、ＯＳＵを介して該当するＯＮＵへ波長切替指示を送る波長切替制御部１４３
を含むことを特徴とする上記（１）に記載のＯＬＴ。
【００６９】
（５）：
受信するチャネル群を変更する場合は、波長切替制御部１４３の指示により入出力波長を変更可能である光送受信器
を含むことを特徴とする上記（２）に記載のＯＮＵ。
【００７０】
（６）：
信号光波長とチャネル群を対応させて転送し、
ＯＮＵが受信する信号光波長を変更することで、受信するチャネル群を変更すること
を含むことを特徴とする上記（３）に記載のコンテンツ配信システム。
【００７１】
（７）：
同一装置構成で、ファームウェア変更によって受信するチャネル群を変更可能なSTBを備え、
ＯＮＵが受信するチャネル群を変更する際に、
ＯＮＵと接続するＳＴＢへ、ＯＳＵがファームウェアを提供する手順と、
前記ＳＴＢにてファームウェアを更新する手順と、
を含むことを特徴とする上記（３）及び（６）に記載のコンテンツ配信システム。
【符号の説明】
【００７２】
１１０：映像配信サーバ
１２０：エッジルータ
１３０：Ｌ２ＳＷ
１４０：ＯＬＴ
１４１：ＯＳＵ
１４２：振り分け部
１４３：波長切替制御部
１４４：合波部
１４５：光振り分け部
１５０：ＯＮＵ
１６０：ＳＴＢ
１７０：ＴＶ受信端末
１８０：光伝送路
１８５：光スプリッタ
３０１〜３０４：コンテンツ配信システム
【図１】
0006470133.tif 000002
【図２】
0006470133.tif 000003
【図３】
0006470133.tif 000004
【図４】
0006470133.tif 000005
【図５】
0006470133.tif 000006
【図６】
0006470133.tif 000007
【図７】
0006470133.tif 000008
【図８】
0006470133.tif 000009
【図９】
0006470133.tif 000010
【図１０】
0006470133.tif 000011